(57)【要約】【課題】ネットワーク接続機能を有したカーナビ装置から即座にデジタルコンテンツの購入を行う。【解決手段】カーナビ装置のブラウザから視聴番組情報を伴ったデジタルコンテンツ購入依頼を受け付ける購入依頼受付手段と、前記視聴番組情報に基づき、依頼受付前後所定時間内の放送番組から特徴語を抽出する番組内容抽出手段と、抽出した特徴語に基づいてデジタルコンテンツデータベースから候補となるデジタルコンテンツを検索する検索手段と、検索結果を前記ブラウザに送信する送信手段と、前記ブラウザからのデジタルコンテンツの購入決定を受け付ける購入決定受付手段と、受け付けたデジタルコンテンツのデータを前記ブラウザにダウンロードするデジタルコンテンツ送信手段とを備える。【選択図】図１
2010205024.tif 000002
【特許請求の範囲】
【請求項１】
カーナビ装置のブラウザから視聴番組情報を伴ったデジタルコンテンツ購入依頼を受け付ける購入依頼受付手段と、
前記視聴番組情報に基づき、依頼受付前後所定時間内の放送番組から特徴語を抽出する番組内容抽出手段と、
抽出した特徴語に基づいてデジタルコンテンツデータベースから候補となるデジタルコンテンツを検索する検索手段と、
検索結果を前記ブラウザに送信する送信手段と、
前記ブラウザからのデジタルコンテンツの購入決定を受け付ける購入決定受付手段と、
受け付けたデジタルコンテンツのデータを前記ブラウザにダウンロードするデジタルコンテンツ送信手段と
を備えたことを特徴とするデジタルコンテンツ販売装置。
【請求項２】
前記番組内容抽出手段は、
放送番組のデジタル音声データからテキスト変換を行って得たテキスト列からの特徴語の抽出、
放送番組のデジタル文字データからの特徴語の抽出、
放送番組に付されたタグの抽出
のいずれかまたは組み合わせにより特徴語の抽出を行う
ことを特徴とするデジタルコンテンツ販売装置。
【請求項３】
カーナビ装置のブラウザから視聴番組情報を伴ったデジタルコンテンツ購入依頼を受け付ける購入依頼受付工程と、
前記視聴番組情報に基づき、依頼受付前後所定時間内の放送番組から特徴語を抽出する番組内容抽出工程と、
抽出した特徴語に基づいてデジタルコンテンツデータベースから候補となるデジタルコンテンツを検索する検索工程と、
検索結果を前記ブラウザに送信する送信工程と、
前記ブラウザからのデジタルコンテンツの購入決定を受け付ける購入決定受付工程と、
受け付けたデジタルコンテンツのデータを前記ブラウザにダウンロードするデジタルコンテンツ送信工程と
を備えたことを特徴とするデジタルコンテンツ販売管理方法。
【発明の詳細な説明】
【技術分野】
【０００１】
本発明は、インターネット等のネットワークを介して音楽・映像等のデジタルコンテンツを販売する技術に関する。
【背景技術】
【０００２】
自動車に搭載されるカーナビ装置は高機能化が進み、デジタルテレビ放送の視聴機能を備えるとともに、インターネットの接続機能を備えるものも増えてきている。
【０００３】
ところで、自動車の走行中に、視聴している番組の中で取り上げられている楽曲やビデオクリップ等のデジタルコンテンツを購入して楽しみたい場合がある。
【０００４】
特許文献１には、自動車における環境を想定したものではないが、放送信号に現在流れている曲等の識別番号を含め、テレビ画面上に識別番号を表示することで、携帯電話やパーソナルコンピュータから識別番号を指定して音楽データのダウンロードを行う技術が開示されている。
【０００５】
また、特許文献２には、同じく自動車における環境を想定したものではないが、蓄積型音楽番組の音声データに各楽曲の開始タイムおよび終了タイムを記録しておき、ユーザから購入指示があったときに付加情報に基づいて現在再生中の楽曲のデータを蓄積した販売サーバを割り出し、その販売サーバから楽曲データをダウンロードする技術が開示されている。
【先行技術文献】
【特許文献】
【０００６】
【特許文献１】特開２００２−３４２６２１号公報
【特許文献２】特開２００８−２２５５４９号公報
【発明の概要】
【発明が解決しようとする課題】
【０００７】
上記の特許文献１、２に開示される技術では、放送番組で流されている楽曲そのものを購入することは可能であるが、例えば単にトーク番組の中で取り上げられている楽曲やビデオクリップ等については対応することができない。
【０００８】
そのため、インターネットのダウンロードサイト等を検索して欲する楽曲やビデオクリップ等を取得するしか方法がなく、迅速にデジタルコンテンツを取得して楽しむことができないという問題があった。
【０００９】
本発明は上記の従来の問題点に鑑み提案されたものであり、その目的とするところは、ネットワーク接続機能を有したカーナビ装置から即座にデジタルコンテンツの購入を行うことのできるデジタルコンテンツ販売装置を提供することにある。
【課題を解決するための手段】
【００１０】
上記の課題を解決するため、本発明にあっては、請求項１に記載されるように、カーナビ装置のブラウザから視聴番組情報を伴ったデジタルコンテンツ購入依頼を受け付ける購入依頼受付手段と、前記視聴番組情報に基づき、依頼受付前後所定時間内の放送番組から特徴語を抽出する番組内容抽出手段と、抽出した特徴語に基づいてデジタルコンテンツデータベースから候補となるデジタルコンテンツを検索する検索手段と、検索結果を前記ブラウザに送信する送信手段と、前記ブラウザからのデジタルコンテンツの購入決定を受け付ける購入決定受付手段と、受け付けたデジタルコンテンツのデータを前記ブラウザにダウンロードするデジタルコンテンツ送信手段とを備えるデジタルコンテンツ販売装置を要旨としている。
【００１１】
また、請求項２に記載されるように、前記番組内容抽出手段は、放送番組のデジタル音声データからテキスト変換を行って得たテキスト列からの特徴語の抽出、放送番組のデジタル文字データからの特徴語の抽出、放送番組に付されたタグの抽出のいずれかまたは組み合わせにより特徴語の抽出を行うようにすることができる。
【００１２】
また、請求項３に記載されるように、カーナビ装置のブラウザから視聴番組情報を伴ったデジタルコンテンツ購入依頼を受け付ける購入依頼受付工程と、前記視聴番組情報に基づき、依頼受付前後所定時間内の放送番組から特徴語を抽出する番組内容抽出工程と、抽出した特徴語に基づいてデジタルコンテンツデータベースから候補となるデジタルコンテンツを検索する検索工程と、検索結果を前記ブラウザに送信する送信工程と、前記ブラウザからのデジタルコンテンツの購入決定を受け付ける購入決定受付工程と、受け付けたデジタルコンテンツのデータを前記ブラウザにダウンロードするデジタルコンテンツ送信工程とを備えるデジタルコンテンツ販売管理方法として構成することができる。
【発明の効果】
【００１３】
本発明のデジタルコンテンツ販売装置にあっては、ネットワーク接続機能を有したカーナビ装置から即座にデジタルコンテンツの購入を行うことができる。
【図面の簡単な説明】
【００１４】
【図１】本発明の一実施形態にかかるシステムの構成例を示す図である。
【図２】デジタルコンテンツ販売サーバのハードウェア構成例を示す図である。
【図３】ユーザ情報データベースのデータ構造例を示す図である。
【図４】番組情報データベースのデータ構造例を示す図である。
【図５】デジタルコンテンツデータベースのデータ構造例を示す図である。
【図６】実施形態の処理例を示すシーケンス図（その１）である。
【図７】実施形態の処理例を示すシーケンス図（その２）である。
【図８】ユーザ登録ページの画面例を示す図である。
【図９】ログイン兼デジタルコンテンツ購入ページの画面例を示す図である。
【図１０】特徴語抽出のパターン例を示す図である。
【図１１】購入対象一覧ページの画面例を示す図である。
【発明を実施するための形態】
【００１５】
以下、本発明の好適な実施形態につき説明する。
【００１６】
＜構成＞
図１は本発明の一実施形態にかかるシステムの構成例を示す図である。
【００１７】
図１において、自動車２にはカーナビ装置３が搭載され、インターネット等のネットワーク１に接続可能となっている。また、自動車２内にはユーザの所持する携帯電話、ＰＤＡ（Personal Digital Assistants）、ＰＣ（Personal Computer）等のユーザ端末４が存在し、インターネット等のネットワーク１に接続可能となっている。
【００１８】
カーナビ装置３は、デジタル放送を受信して表示するデジタル放送受信部３１と、機器組込型のブラウザ（Ｗｅｂブラウザ）３２とを備えている。ブラウザ３２は、インターネットの標準プロトコルであるＨＴＴＰ（Hyper Text Transfer Protocol）等に従い、ＨＴＭＬ（Hyper Text Markup Language）等の言語で記述されたページデータの要求・取得・表示およびフォームデータの送信等を行う機能を有している。
【００１９】
ユーザ端末４は一般的なブラウザ（Ｗｅｂブラウザ）４１を有している。なお、ユーザ端末４はカーナビ装置３に代わってユーザ登録を行うために用いられるものであり、カーナビ装置３によってユーザ登録を行う場合には省略することができる。
【００２０】
一方、ネットワーク１には、ユーザの操作するカーナビ装置３のブラウザ３２からのアクセスによりデジタルコンテンツ販売の管理を行うデジタルコンテンツ販売サーバ５が接続されている。
【００２１】
デジタルコンテンツ販売サーバ５は、機能部として、ユーザ登録部５１とログイン処理部５２とデジタルコンテンツ購入依頼受付部５３と番組内容抽出部５４とデジタルコンテンツ検索部５５と購入対象一覧ページ生成部５６と購入対象一覧ページ送信部５７と購入決定受付部５８とデジタルコンテンツ送信部５９とを備えている。これらの機能部は、デジタルコンテンツ販売サーバ５を構成するコンピュータのＣＰＵ（Central Processing Unit）、ＲＯＭ（Read Only Memory）、ＲＡＭ（Random Access Memory）等のハードウェア資源上で実行されるコンピュータプログラムによって実現されるものである。これらの機能部は、単一のコンピュータ上に配置される必要はなく、必要に応じて分散される形態であってもよい。
【００２２】
また、デジタルコンテンツ販売サーバ５が参照するデータベースとして、ユーザ情報データベース６１と番組情報データベース６２とデジタルコンテンツデータベース６３とが設けられている。これらのデータベースは、各データベースを保持するコンピュータ内のＨＤＤ（Hard Disk Drive）等の記憶媒体上に所定のデータを体系的に保持するものである。
【００２３】
ユーザ登録部５１は、カーナビ装置３のブラウザ３２もしくはユーザ端末４のブラウザ４１からデジタルコンテンツ販売サービスのユーザ登録を受け付けてユーザ情報データベース６１に認証情報（ユーザＩＤ、パスワード）等を登録する機能を有している。
【００２４】
ログイン処理部５２は、カーナビ装置３のブラウザ３２からのデジタルコンテンツ購入依頼時に入力される認証情報に基づいてユーザ情報データベース６１に登録されたユーザであるか否かの認証を行う機能を有している。
【００２５】
デジタルコンテンツ購入依頼受付部５３は、カーナビ装置３のブラウザ３２からデジタルコンテンツ購入依頼を受け付けるとともに、デジタル放送受信部３１での視聴番組情報を取得する機能を有している。視聴番組情報にはエリア情報とチャンネル情報とが含まれている。
【００２６】
番組内容抽出部５４は、デジタルコンテンツ購入依頼受付部５３により取得された視聴番組情報に基づいて番組情報データベース６２を参照し、エリアを確認した後に視聴番組のデジタル音声、デジタル文字データから特徴語を抽出し、あるいは番組情報データベース６２の番組情報に付されたタグを特徴語として抽出する機能を有している。
【００２７】
デジタルコンテンツ検索部５５は、番組内容抽出部５４により抽出された特徴語に基づいてデジタルコンテンツデータベース６３を検索し、購入対象候補となるデジタルコンテンツを抽出する機能を有している。
【００２８】
購入対象一覧ページ生成部５６は、デジタルコンテンツ検索部５５の検索結果に基づいて購入対象一覧ページのページデータを生成する機能を有している。
【００２９】
購入対象一覧ページ送信部５７は、購入対象一覧ページ生成部５６により生成された購入対象一覧ページのページデータをカーナビ装置３のブラウザ３２に送信する機能を有している。
【００３０】
購入決定受付部５８は、カーナビ装置３のブラウザ３２に表示された購入対象一覧ページに対するユーザの操作に応じ、デジタルコンテンツを特定した購入決定を受け付ける機能を有している。
【００３１】
デジタルコンテンツ送信部５９は、購入決定受付部５８により購入決定を受け付けたデジタルコンテンツのコンテンツデータをカーナビ装置３のブラウザ３２に送信（ダウンロード）する機能を有している。
【００３２】
図２はデジタルコンテンツ販売サーバ５のハードウェア構成例を示す図である。
【００３３】
図２において、デジタルコンテンツ販売サーバ５は、システムバス５０１に接続されたＣＰＵ５０２、ＲＯＭ５０３、ＲＡＭ５０４、ＮＶＲＡＭ（Non-Volatile Random Access Memory）５０５、Ｉ／Ｆ（Interface）５０６と、Ｉ／Ｆ５０６に接続された、キーボード、マウス、モニタ、ＣＤ／ＤＶＤ（Compact Disk/Digital Versatile Disk）ドライブ等のＩ／Ｏ（Input/Output Device）５０７、ＨＤＤ５０８、ＮＩＣ（Network Interface Card）５０９等を備えている。Ｍはプログラムもしくはデータが格納されたＣＤ／ＤＶＤ等のメディア（記録媒体）である。
【００３４】
図３はユーザ情報データベース６１のデータ構造例を示す図であり、「ユーザＩＤ」「パスワード」等の項目を有している。「ユーザＩＤ」はユーザを特定する識別記号であり、ユーザ登録時にユーザの入力内容に従って設定される。「パスワード」は第三者による不正なアクセスを防止するための文字列であり、ユーザ登録時にユーザの入力内容に従って設定される。
【００３５】
図４は番組情報データベース６２のデータ構造例を示す図であり、「エリア」「チャンネル」「放送局名」「時間帯」「番組名」「タグ」等の項目を有している。これらの情報は放送局あるいは番組情報提供企業から提供される情報である。「エリア」は視聴地域を示し、「チャンネル」は視聴対象のチャンネル番号を示し、「放送局名」は放送局の名称を示し、「時間帯」は視聴の時間帯を示し、「番組名」は放送番組のタイトルを示し、「タグ」は放送番組を特徴付けるキーワード（複数可）を示している。
【００３６】
図５はデジタルコンテンツデータベース６３のデータ構造例を示す図であり、「コンテンツＩＤ」「タイトル」「価格」「キーワード」「コンテンツデータ」等の項目を有している。これらの情報は販売対象となるデジタルコンテンツのリリース時に設定される。「コンテンツＩＤ」はデジタルコンテンツを識別する記号である。「タイトル」はデジタルコンテンツのタイトル名称である。「価格」はデジタルコンテンツの販売価格である。「キーワード」はデジタルコンテンツの内容を特徴付ける文字列（複数可）である。「コンテンツデータ」はコンテンツデータの実体データもしくは実体データの保存場所を示すリファレンス情報である。
【００３７】
＜動作＞
図６および図７は上記の実施形態の処理例を示すシーケンス図である。
【００３８】
図６において、カーナビ装置３のユーザがデジタルコンテンツ販売サービスの利用登録を行なう場合、カーナビ装置３のブラウザ３２からデジタルコンテンツ販売サーバ５のユーザ登録部５１にアクセスしてユーザ登録ページ要求を行なう（ステップＳ１０１）。ページ要求は、インターネットの標準プロトコルであるＨＴＴＰに従ったＧＥＴメソッドとリクエストＵＲＩ（Uniform Resource Indicator）等を含むメッセージがカーナビ装置３のブラウザ３２からデジタルコンテンツ販売サーバ５のユーザ登録部５１に送信されることで行なわれる。
【００３９】
これを受け、デジタルコンテンツ販売サーバ５のユーザ登録部５１は、内部に保持あるいは動的に生成したユーザ登録ページのページデータをカーナビ装置３のブラウザ３２に返送する（ステップＳ１０２）。ページデータはＨＴＭＬ等により記述されており、ＨＴＴＰのレスポンス等に従ってデジタルコンテンツ販売サーバ５のユーザ登録部５１からカーナビ装置３のブラウザ３２に送信される。
【００４０】
カーナビ装置３のブラウザ３２はユーザ登録ページを表示し（ステップＳ１０３）、ユーザは所定の入力を行なう（ステップＳ１０４）。図８はユーザ登録ページの画面例を示す図であり、「ユーザＩＤ」と「パスワード」の入力欄と「ＯＫ」ボタンが設けられている。ユーザはボタンやリモコン操作等により各入力欄に文字や数字を入力し、「ＯＫ」ボタンの押下により入力が完了する。
【００４１】
図６に戻り、ユーザ登録ページへの入力が完了すると、カーナビ装置３のブラウザ３２からデジタルコンテンツ販売サーバ５のユーザ登録部５１に入力内容が送信される（ステップＳ１０５）。入力内容はＨＴＴＰのＰＯＳＴメソッドあるいはＰＵＴメソッド等に付加されたＨＴＭＬ等のデータあるいはＧＥＴメソッド等に付加されたパラメータとしてカーナビ装置３のブラウザ３２からデジタルコンテンツ販売サーバ５のユーザ登録部５１に送信される。
【００４２】
入力内容を受信したデジタルコンテンツ販売サーバ５のユーザ登録部５１は、ユーザ情報データベース６１（図３）の対応する項目に入力内容を登録し（ステップＳ１０６）、登録完了の旨をカーナビ装置３のブラウザ３２に送信する（ステップＳ１０７）。登録完了の旨はＨＴＴＰのレスポンス等に従ってデジタルコンテンツ販売サーバ５のユーザ登録部５１からカーナビ装置３のブラウザ３２に送信される。登録完了の旨を受信したカーナビ装置３のブラウザ３２は、その表示を行う（ステップＳ１０８）。
【００４３】
以上、カーナビ装置３のブラウザ３２からユーザ登録を行う場合について説明したが、ユーザ端末４のブラウザ４１からも同様にしてユーザ登録を行うことができる。
【００４４】
その後、カーナビ装置３のデジタル放送受信部３１でデジタル放送を視聴中のユーザが、番組の中で取り上げられているデジタルコンテンツの購入を欲した場合、カーナビ装置３のブラウザ３２からデジタルコンテンツ販売サーバ５のデジタルコンテンツ購入依頼受付部５３にアクセスしてデジタルコンテンツ購入ページ要求を行なう（ステップＳ１１１）。ページ要求は、インターネットの標準プロトコルであるＨＴＴＰに従ったＧＥＴメソッドとリクエストＵＲＩ等を含むメッセージがカーナビ装置３のブラウザ３２からデジタルコンテンツ販売サーバ５のデジタルコンテンツ購入依頼受付部５３に送信されることで行なわれる。
【００４５】
これを受け、デジタルコンテンツ販売サーバ５のデジタルコンテンツ購入依頼受付部５３は、内部に保持あるいは動的に生成したログイン兼デジタルコンテンツ購入ページのページデータと視聴番組情報取得コードをカーナビ装置３のブラウザ３２に返送する（ステップＳ１１２）。視聴番組情報取得コードは、カーナビ装置３のブラウザ３２で実行されるプログラムであり、デジタル放送受信部３１から現在の視聴エリアおよび視聴チャンネルを含む視聴番組情報を取得する機能を有している。ページデータはＨＴＭＬ等により記述されており、視聴番組情報取得コードとともに、ＨＴＴＰのレスポンス等に従ってデジタルコンテンツ販売サーバ５のデジタルコンテンツ購入依頼受付部５３からカーナビ装置３のブラウザ３２に送信される。
【００４６】
カーナビ装置３のブラウザ３２はログイン兼デジタルコンテンツ購入ページを表示し（ステップＳ１１３）、ユーザは所定の入力を行なう（ステップＳ１１４）。図９はログイン兼デジタルコンテンツ購入ページの画面例を示す図であり、「ユーザＩＤ」「パスワード」の入力欄と「購入」ボタンが設けられている。ユーザはボタンやリモコン操作等により各入力欄に文字や数字を入力し、「購入」ボタンの押下により購入依頼が完了する。
【００４７】
図６に戻り、ログイン兼デジタルコンテンツ購入ページへの入力が完了すると、カーナビ装置３のブラウザ３２では、視聴番組情報取得コードの動作により、デジタル放送受信部３１から現在の視聴エリアおよび視聴チャンネルを含む視聴番組情報が取得され（ステップＳ１１５）、ログイン兼デジタルコンテンツ購入ページへの入力内容とともに視聴番組情報がデジタルコンテンツ販売サーバ５のデジタルコンテンツ購入依頼受付部５３に送信される（ステップＳ１１６）。入力内容および視聴番組情報はＨＴＴＰのＰＯＳＴメソッドあるいはＰＵＴメソッド等に付加されたＨＴＭＬ等のデータあるいはＧＥＴメソッド等に付加されたパラメータとしてカーナビ装置３のブラウザ３２からデジタルコンテンツ販売サーバ５のデジタルコンテンツ購入依頼受付部５３に送信される。
【００４８】
入力内容と視聴番組情報を受信したデジタルコンテンツ購入依頼受付部５３は、ログイン処理部５２に入力内容（認証情報）を伴って認証要求を行う（ステップＳ１１７）。ログイン処理部５２は入力内容のユーザＩＤとパスワードがユーザ情報データベース６１に登録された内容と一致するか否か判断し（ステップＳ１１８）、一致する場合は認証ＯＫを返す（ステップＳ１１９）。デジタルコンテンツ購入依頼受付部５３とログイン処理部５２の間のデータのやりとりはデジタルコンテンツ販売サーバ５内の通信であるため、任意の形式とすることができる。
【００４９】
認証ＯＫを受けたデジタルコンテンツ購入依頼受付部５３は、視聴番組情報と返信先情報を番組内容抽出部５４に引き渡す（ステップＳ１２０）。返信先情報は、カーナビ装置３のブラウザ３２からのＨＴＴＰ等によるアクセスメッセージの送信元情報を用いる。これらのデータの引き渡しはデジタルコンテンツ販売サーバ５内の通信であるため、任意の形式とすることができる。
【００５０】
視聴番組情報と返信先情報の引き渡しを受けた番組内容抽出部５４は、番組情報データベース６２（図４）を参照してエリアを確認し（ステップＳ１２１）、購入依頼受付時点を起点に前後所定時間内における視聴中の番組から特徴語を抽出する（ステップＳ１２２）。
【００５１】
図１０は番組内容抽出部５４による特徴語抽出のパターン例を示す図である。図１０（ａ）は該当するチャンネルのデジタル音声データからテキスト変換を行うことによりテキスト列を取得し、その中から特徴語を抽出するものである。特徴語の抽出には、形態素解析、辞書との最長一致判断、出現頻度によるランキング等の自然言語解析の技術を用いることができる。
【００５２】
図１０（ｂ）は該当するチャンネルのデジタル文字データから特徴語を抽出するものである。
【００５３】
図１０（ｃ）は番組情報データベース６２の該当するエリア、チャンネルおよび時間帯（現在時刻が含まれる時間帯）の番組に付された「タグ」を抽出して特徴語とするものである。
【００５４】
これらは、いずれか一つのパターンのみを行ってもよいが、ここでは３パターンによる特徴語の抽出を並行して行うものとしている。
【００５５】
なお、視聴番組情報の視聴エリアがデジタルコンテンツ販売サーバ５の設置されたエリアとは異なる場合、該当するデジタル放送を受信できない場合がある。その場合は、デジタル放送受信部（チューナ）を含む番組内容抽出部５４と同様な機能を、他のエリアに配置したサーバに設け、そのサーバに対して特徴語の抽出を依頼し、抽出結果を返送させるようにする。
【００５６】
図６に戻り、特徴語の抽出を完了した番組内容抽出部５４は、抽出した特徴語と返信先情報をデジタルコンテンツ検索部５５に引き渡す（ステップＳ１２３）。これらのデータの引き渡しはデジタルコンテンツ販売サーバ５内の通信であるため、任意の形式とすることができる。
【００５７】
次に、図７において、特徴語と返信先情報の引き渡しを受けたデジタルコンテンツ検索部５５は、特徴語をキーにしてデジタルコンテンツデータベース６３（図５）を検索し（ステップＳ１２４）、検索結果と返信先情報を購入対象一覧ページ生成部５６に引き渡す（ステップＳ１２５）。これらのデータの引き渡しはデジタルコンテンツ販売サーバ５内の通信であるため、任意の形式とすることができる。
【００５８】
次いで、検索結果と返信先情報の引き渡しを受けた購入対象一覧ページ生成部５６は、検索結果として、所定のレイアウトの購入対象一覧ページのページデータを生成する（ステップＳ１２６）。すなわち、購入対象一覧ページ生成部５６は、図１１に示すように、検索された購入可能なデジタルコンテンツのタイトル、価格、「決定」ボタンをレイアウトした購入対象一覧ページのページデータを生成する。
【００５９】
図７に戻り、購入対象一覧ページのページデータを生成した購入対象一覧ページ生成部５６は、購入対象一覧ページのページデータと返信先情報を購入対象一覧ページ送信部５７に引き渡す（ステップＳ１２７）。これらのデータの引き渡しはデジタルコンテンツ販売サーバ５内の通信であるため、任意の形式とすることができる。
【００６０】
購入対象一覧ページのページデータと返信先情報の引き渡しを受けた購入対象一覧ページ送信部５７は、返信先情報に基づき、カーナビ装置３のブラウザ３２に対して購入対象一覧ページのページデータを送信し（ステップＳ１２８）、カーナビ装置３のブラウザ３２において購入対象一覧ページが表示される（ステップＳ１２９）。ページデータはＨＴＴＰのレスポンス等に従ってデジタルコンテンツ販売サーバ５の購入対象一覧ページ送信部５７からカーナビ装置３のブラウザ３２に送信される。
【００６１】
カーナビ装置３のユーザが購入対象一覧ページの中から所望のデジタルコンテンツを「決定」ボタンの押下により選択すると（ステップＳ１３０）、カーナビ装置３のブラウザ３２からデジタルコンテンツ販売サーバ５の購入決定受付部５８に選択内容が送信される（ステップＳ１３１）。選択内容はＨＴＴＰのＰＯＳＴメソッドあるいはＰＵＴメソッド等に付加されたＨＴＭＬ等のデータあるいはＧＥＴメソッド等に付加されたパラメータとしてカーナビ装置３のブラウザ３２からデジタルコンテンツ販売サーバ５の購入決定受付部５８に送信される。
【００６２】
選択内容を受信した購入決定受付部５８は、選択内容に対応するデジタルコンテンツのコンテンツＩＤと返信先情報をデジタルコンテンツ送信部５９に引き渡す（ステップＳ１３２）。これらのデータの引き渡しはデジタルコンテンツ販売サーバ５内の通信であるため、任意の形式とすることができる。
【００６３】
コンテンツＩＤと返信先情報の引き渡しを受けたデジタルコンテンツ送信部５９は、デジタルコンテンツデータベース６３からコンテンツＩＤをキーにしてコンテンツデータを取得し（ステップＳ１３３）、返信先情報に基づき、カーナビ装置３のブラウザ３２に対してコンテンツデータを送信（ダウンロード）する（ステップＳ１３４）。コンテンツデータは、ＨＴＴＰのレスポンス等に従ってデジタルコンテンツ販売サーバ５のデジタルコンテンツ送信部５９からカーナビ装置３のブラウザ３２に送信される。
【００６４】
コンテンツデータを送信したカーナビ装置３のブラウザ３２は、コンテンツデータを保存し（ステップＳ１３５）、ユーザの操作により再生可能な状態とする。
【００６５】
＜総括＞
以上説明したように、本実施形態によれば、ネットワーク接続機能を有したカーナビ装置から即座にデジタルコンテンツの購入を行うことができる。
【００６６】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【００６７】
１        ネットワーク
２        自動車
３        カーナビ装置
３１      デジタル放送受信部
３２      ブラウザ
４        ユーザ端末
４１      ブラウザ
５        デジタルコンテンツ販売サーバ
５１      ユーザ登録部
５２      ログイン処理部
５３      デジタルコンテンツ購入依頼受付部
５４      番組内容抽出部
５５      デジタルコンテンツ検索部
５６      購入対象一覧ページ生成部
５７      購入対象一覧ページ送信部
５８      購入決定受付部
５９      デジタルコンテンツ送信部
６１      ユーザ情報データベース
６２      番組情報データベース
６３      デジタルコンテンツデータベース
【図２】
2010205024.tif 000003
【図３】
2010205024.tif 000004
【図４】
2010205024.tif 000005
【図５】
2010205024.tif 000006
【図６】
2010205024.tif 000007
【図７】
2010205024.tif 000008
【図８】
2010205024.tif 000009
【図９】
2010205024.tif 000010
【図１０】
2010205024.tif 000011
【図１１】
2010205024.tif 000012
【図１】
2010205024.tif 000013